(57)【要約】【課題】ボディ及びカバーの取付強度を確保し且つ装置を大型化することなく発光装置を構成する各部品間の絶縁距離を確保するのに十分な配置スペースを得ることのできる照明装置及び照明器具を提供する。【解決手段】略円柱状に形成され軸方向の一端面に複数の発光装置１が熱結合される形で実装されるボディ２と、ボディ２の前記一端面に取り付けられて発光装置１から放射される光を制御する配光部４を有するカバー３とから成る照明装置Ａにおいて、カバー３に設けられたピン３０をボディ２に貫設された取付孔２０に挿入して熱溶着するとともにカバー３の外周縁から成る係止部３１をボディ２の外周縁全周に亘って係止させることでカバー３をボディ２に取り付けた。【選択図】図１
2008108517.tif 000002
【特許請求の範囲】
【請求項１】
ＬＥＤチップを用いた一乃至複数の発光装置と、略箱体に形成されて一端面に発光装置が熱結合される形で実装されるボディと、ボディの前記一端面に取り付けられて発光装置から放射される光を制御する配光部を有するカバーとから成る照明装置であって、ボディ及びカバーには、熱溶着することで互いに固定される被固定部及び固定部がそれぞれ設けられ、カバーの外周縁には、ボディの外周縁に係止する係止部が設けられたことを特徴とする照明装置。
【請求項２】
請求項１記載の照明装置と、照明装置を収納する器具本体とを備えたことを特徴とする照明器具。
【発明の詳細な説明】
【技術分野】
【０００１】
本発明は、ＬＥＤチップを用いた発光装置を備えた照明装置及びそれを用いた照明器具に関する。
【背景技術】
【０００２】
従来から、ＬＥＤチップとＬＥＤチップから放射された光によって励起されてＬＥＤチップとは異なる発光色の光を放射する波長変換材料（例えば、蛍光顔料、蛍光染料など）とを組み合わせてＬＥＤチップの発光色とは異なる色合いの光を出す発光装置の研究開発が各所で行われている（例えば、特許文献１参照）。この種の発光装置としては、例えば、青色光あるいは紫外光を放射するＬＥＤチップと蛍光体とを組み合わせて白色の光（白色光の発光スペクトル）を得る白色発光装置（一般的に白色ＬＥＤと呼ばれている）があり、このような白色発光装置を一般照明などのように比較的大きな光出力を必要とする用途に用いる場合、１つの白色発光装置では所望の光出力を得ることができないので、複数個の白色発光装置を１つの配線板上に搭載した照明装置を構成し、照明装置全体で所望の光出力を確保するようにするのが一般的である。
【０００３】
複数個の発光装置を１つの配線板上に搭載した照明装置では、各発光装置を点灯させた状態における個々の発光装置の発熱量は比較的少ないものの、発光装置の数の増加に伴って発熱量が多くなるので、配線板に熱が蓄積されやすく、照明装置全体の温度が上昇しやすい傾向にある。そこで、例えばアルミダイカスト製の放熱板から成る略箱体のボディの一端面に発光装置を熱結合して実装することで、発光装置が発する熱を効率よく放熱する照明装置が知られている。このような照明装置は、発光装置から放射される光を制御する配光部を有してボディを覆うように取り付けられるカバーを備え、カバーのボディとの対向面に突設された複数のピンをボディの前記一端面に貫設された取付孔に挿入して熱溶着することでカバーがボディの前記一端面に取り付けられるようになっている。
【特許文献１】特開２００５−１５８９６３号公報
【発明の開示】
【発明が解決しようとする課題】
【０００４】
ところで、上記従来例では、カバーのピンの数及びボディの取付孔の数が少ないと外部からの力による応力がピンに集中し、カバーがボディから外れてしまう虞があった。そこで、ボディ及びカバーの取付強度を十分に確保するためにはカバーのピンの数及びボディの取付孔の数を増やす必要があった。しかしながら、ボディの取付孔の数を増やすとボディの前記一端面における発光装置の配置スペースが狭くなり、発光装置を構成する各部品間の絶縁距離を確保するのに十分な配置スペースを得るためには照明装置を大きく設計しなければならないという問題があった。
【０００５】
本発明は、上記の点に鑑みて為されたもので、ボディ及びカバーの取付強度を確保し且つ装置を大型化することなく発光装置を構成する各部品間の絶縁距離を確保するのに十分な配置スペースを得ることのできる照明装置及び照明器具を提供することを目的とする。
【課題を解決するための手段】
【０００６】
請求項１の発明は、上記目的を達成するために、ＬＥＤチップを用いた一乃至複数の発光装置と、略箱体に形成されて一端面に発光装置が熱結合される形で実装されるボディと、ボディの前記一端面に取り付けられて発光装置から放射される光を制御する配光部を有するカバーとから成る照明装置であって、ボディ及びカバーには、熱溶着することで互いに固定される被固定部及び固定部がそれぞれ設けられ、カバーの外周縁には、ボディの外周縁に係止する係止部が設けられたことを特徴とする。
【０００７】
請求項２の発明は、請求項１記載の照明装置と、照明装置を収納する器具本体とを備えたことを特徴とする。
【発明の効果】
【０００８】
請求項１の発明によれば、カバーの外周縁に設けられた係止部によってカバーをボディの外周縁に係止することで、外部からの力によって固定部及び被固定部に加わる応力を低減することができるために固定部及び被固定部の数を少なくしてもボディ及びカバーの取付強度を確保することができ、したがって装置を大型化することなく発光装置を構成する各部品間の絶縁距離を確保するのに必要な配置スペースを得ることができる。
【０００９】
請求項２の発明によれば、請求項１の効果を奏する照明装置を用いた照明器具を実現することができる。
【発明を実施するための最良の形態】
【００１０】
以下、本発明の実施形態の照明器具について図面を用いて説明する。本実施形態は、図１に示すように、略円柱状に形成され軸方向の一端面（図１における上面）に複数（本実施形態では４つ）の発光装置１が熱結合される形で実装されるボディ２と、ボディ２の前記一端面に取り付けられて発光装置１から放射される光を制御する配光部４を有するカバー３とから成る照明装置Ａと、照明装置Ａが取り付けられる器具本体５と、天井に取り付けられた取付器体（図示せず）に一端部が取り付けられて他端部に器具本体５が連結されるアーム６（図３（ａ）参照）とを備えている。尚、同図では後述する発光装置１の図示を省略している。
【００１１】
発光装置１は、図２（ｂ）に示すように、ＬＥＤチップ（図示せず）と、ＬＥＤチップの一表面側に実装された実装基板１０と、実装基板１０におけるＬＥＤチップの実装面側でＬＥＤチップを囲む枠体（図示せず）と、枠体の内側に透光性材料を充填して形成されてＬＥＤチップを封止する封止部（図示せず）と、封止部に重ねて配置されるレンズ（図示せず）と、ＬＥＤチップから放射され封止部を透過した光によって励起されてＬＥＤチップの発光色とは異なる色の光を放射する蛍光体を透明材料とともに成形した成形品であってレンズの光出射面側にレンズを覆い光出射面及び枠体との間に空気層が形成される形で配設されるドーム状の色変換部材１１とから成る。
【００１２】
ＬＥＤチップは、青色光を放射するＧａＮ系青色ＬＥＤチップから成り、色変換部材１１は、シリコーン樹脂のような透光性材料とＬＥＤチップから放射され封止部を透過した青色光によって励起されてブロードな黄色系の光を放射する粒子状の黄色蛍光体とを混合した混合物の成形品により構成されている。したがって、本実施形態における発光装置１は、ＬＥＤチップから放射された青色光と黄色蛍光体から放射された光とが色変換部材１１の外面を通して放射されることとなり、白色光を得ることができる。尚、ＬＥＤチップの発光色は青色に限らず、例えばＬＥＤチップとして紫外光ＬＥＤチップを用いる場合には、色変換部材１１として例えば赤色蛍光体及び緑色蛍光体及び青色蛍光体を含有したものを用いて白色光を得るようにしても構わない。
【００１３】
ボディ２は、アルミダイカスト製の放熱板であって、前記一端面の外周縁には、後述するブリッジ部５２にねじ止めされる略矩形状の２つのねじ止め部２１が図２（ａ）における上下両端部にそれぞれ突設されており、各ねじ止め部２１には、それぞれ後述するブリッジ部５２の雌ねじ部５２ａと重ね合わされて組立ねじ５４が挿通される断面略円形状の挿通孔２１ａが厚み方向に貫設されている。また、ボディ２の前記一端面には、各ブリッジ部５２ａの内側近傍にそれぞれ断面略円形状の取付孔２０が厚み方向に貫設されており、後述するカバー３のピン３０が挿入される。また、ボディ２の前記一端面の略中央から図１における左側面にかけて後述する電線Ｂが挿通される略Ｌ字状の電線挿通部２３が貫設されている。
【００１４】
取付孔２０が設けられた部位は、ボディ２の他の部位と比べて薄肉に形成され、該部位の図１における下側は、厚み方向に窪んだ窪み部２２となっている。而して、ピン３０を取付孔２０に挿入するとピン３０の先端部が窪み部２２に露出し、該ピン３０の先端部をボディ２に対して熱溶着することで、カバー３がボディ２に取り付けられる（図２（ｃ）参照）。
【００１５】
カバー３は、前記他端面を開口した有底円筒状に形成され、前記一端面には透光性材料から成る略椀状の４つの配光部４が設けられている（図１参照）。配光部４は、カバー３をボディ２に取り付けた状態において各々対応する発光装置１と対向するように配設され、各発光装置１から出射される光を配光制御する。カバー３の前記他端側の開口周縁には、ボディ２の各取付孔２０とそれぞれ対向し且つ図１における下側に突出した棒状の一対のピン３０が設けられている。
【００１６】
ここにおいて、カバー３は前記他端側の開口面の内径が前記一端面の内径よりも長くなるように形成されており、カバー３の側面は図１における上側から下側にかけて外側に傾斜するようになっている。したがって、カバー３をボディ２に取り付ける際に、カバー３の外周縁が係止部３１となってボディ２の外周縁の全周に亘って係止するので、照明装置に外部から力が加わったとしても、外部からの力による応力が分散されてピン３０にかかる応力を低減することができる。
【００１７】
器具本体５は、アルミダイカスト製であり、図３（ａ）に示すように、有底円筒状に形成されて照明装置Ａを収納する装置保持部５０と、装置保持部５０よりも大きい外径の円筒状に形成されて装置保持部５０の外周を囲み且つ装置保持部５０と同心的に配置される大径円筒部５１と、装置保持部５０と大径円筒部５１とを所定の間隔を空けて連結する４つのブリッジ部５２と、大径円筒部５１外周の図３（ａ）における上側に取着されてアーム６が結合されるアーム結合部５５とから成る。また、ブリッジ部５２を除いた装置保持部５０と大径円筒部５１との間には、軸方向に貫通する４つの通気孔５３が形成されており、該通気孔５３を介して空気の流れる経路を形成することによって発光装置１で発生した熱を効率的に放熱させることができる。
【００１８】
ブリッジ部５２は、図３（ａ）に示すように、装置保持部５０と大径円筒部５１と連続一体に形成されており、図３（ａ）における左右のブリッジ部５２の略中央にはそれぞれ雌ねじ部５２ａが設けられている。而して、図３（ｂ）に示すように、上記ブリッジ部５２の図３（ｂ）における上面にボディ２のねじ止め部２１を載置し、組立ねじ５４を挿通孔２１ａに挿通させて雌ねじ部５２ａでねじ止めすることで照明装置Ａのボディ２が器具本体５に取付固定される。尚、カバー３側面には、ブリッジ部５２及びねじ止め部２１の近傍において組立ねじ５４頭部の径よりも大きい径を有する凹部３２が設けられている。このように組立ねじ５４を避ける凹部３２を設けることで、凹部３２を設けない場合と比較して大径円筒部５１の外径を小さくすることができ、したがって器具本体５の小型化を図れる。
【００１９】
アーム結合部５５は、図１に示すように、軸ねじ（図示せず）が挿通される軸受孔が貫設された軸受部５５ａと、別置の電源ユニット（図示せず）から導出された電線Ｂが挿通される切欠部５５ｂとから成る。器具本体５は、軸受部５５ａの軸受孔とアーム６の図３（ａ）における下端部に設けられた軸受孔（図示せず）とを重ね合わせ、これら軸受孔に軸ねじを挿通してねじ止めすることで軸ねじを軸として回動自在にアーム６に結合される。また、電線Ｂがアーム６の内部空間及びアーム結合部５５の切欠部５５ｂ及びボディ２の電線挿通孔２３を通して発光装置１の実装基板１０に設けられた給電用導体パターン（図示せず）と接続されることで、発光装置１に駆動電力が供給される。
【００２０】
上述のように、ボディ２にカバー３を固定する際に、カバー３の外周縁から成る係止部３１がボディ２の外周縁全周に亘って係止するため、照明装置に外部から力が加わったとしても、外部からの力による応力が分散されてピン３０にかかる応力を低減することができ、したがってピン３０及び取付孔２０の数を少なくしてもボディ２及びカバー３の取付強度を十分に確保することができる。また、ボディ２の前記一端面において、取付孔２０の数を少なくすることができるために、照明装置を大型化することなく発光装置１を構成する各部品間の絶縁距離を確保するのに必要な配置スペースを得ることができる。
【図面の簡単な説明】
【００２１】
【図１】本発明の実施形態の照明器具の一部を示す分解斜視図である。
【図２】同上の照明装置を示す図で、（ａ）はカバー側から見た図で、（ｂ）はＡ−Ａ’線断面矢視図で、（ｃ）は一部破断したＢ−Ｂ’線断面矢視図である。
【図３】同上の概略図で、（ａ）はカバー側から見た図で、（ｂ）は一部破断したＣ−Ｃ’線断面矢視図である。
【符号の説明】
【００２２】
１  発光装置
２  ボディ
２０  取付孔（被固定部）
３  カバー
３０  ピン（固定部）
３１  係止部
４  配光部
【図１】
2008108517.tif 000003
【図２】
2008108517.tif 000004
【図３】
2008108517.tif 000005